(57)【要約】【課題】襟部の係脱が容易で、着用者に衛生的で清潔な感じを与え、かつ、不快感を与えない理美容用ケープを提供することである。【解決手段】襟部２の両端部に間隔を開けて複数のボタン状磁石３を取り付け、これらの磁石３の磁気吸引力で襟部２の両端部を係止することにより、面ファスナと同等以上の係脱性を確保した上で、襟部２への毛髪等の付着をなくして、着用者に衛生的で清潔な感じを与えるようにするとともに、襟部２の係止を首に負担をかけることなく静かに解除できるようにし、着用者に不快感を与えないようにした。【選択図】図１
2006006437.tif 000002
【特許請求の範囲】
【請求項１】
首周りに両側から重ね合わされる襟部を設け、この襟部の両端部を係止して着用する理美容用ケープにおいて、前記襟部の両端部の一方に磁石を、他方に磁石または磁性材料を取り付け、これらの一方の磁石と他方の磁石または磁性材料との磁気吸引力で、前記襟部の両端部を係止するようにしたことを特徴とする理美容用ケープ。
【請求項２】
前記襟部の両端部の一方の磁石および他方の磁石または磁性材料を、前記襟部の首周り方向に間隔を開けて取り付けられる複数のボタン状のものとした請求項１に記載の理美容用ケープ。
【請求項３】
前記首周りに両側から重ね合わされる襟部のうちの外側に重ね合わされる襟部の端部に取り付けられる前記磁石または磁性材料の、少なくとも襟部の外側に向けられる面を磁気シールド材で覆った請求項１または２に記載の理美容用ケープ。
【発明の詳細な説明】
【技術分野】
【０００１】
本発明は、理美容時の衣服の汚れを防止するために着用する理美容用ケープに関する。
【背景技術】
【０００２】
理髪店や美容院等で衣服の汚れを防止するために着用する理美容用ケープには、首周りに両側から重ね合わされる襟部を設け、この襟部の両端部を係止するようにしたものがある。この襟部の両端部の係止具には、面ファスナ、ホック、スナップ等が用いられており、最近では、係脱が容易な面ファスナが最も多く用いられている（例えば、特許文献１参照）。
【０００３】
【特許文献１】特開２０００−４１７３５号公報（第２頁）
【発明の開示】
【発明が解決しようとする課題】
【０００４】
上述した襟部の両端部を面ファスナで係止するようにした理美容用ケープは、襟部の係脱が容易であるが、面ファスナに刈られた毛髪等が付着しやすく、次に着用する人に不衛生で不潔な感じを与える問題がある。また、面ファスナは剥がすのに比較的大きな力を必要とし、かつ、バリバリという音がするので、理美容用ケープを取り外す際に着用者の首に負担がかかるとともに、耳障りな音がし、着用者に不快感を与える問題もある。
【０００５】
そこで、本発明の課題は、襟部の係脱が容易で、着用者に衛生的で清潔な感じを与え、かつ、不快感を与えない理美容用ケープを提供することである。
【課題を解決するための手段】
【０００６】
上記の課題を解決するために、本発明は、首周りに両側から重ね合わされる襟部を設け、この襟部の両端部を係止して着用する理美容用ケープにおいて、前記襟部の両端部の一方に磁石を、他方に磁石または磁性材料を取り付け、これらの一方の磁石と他方の磁石または磁性材料との磁気吸引力で、前記襟部の両端部を係止する構成を採用した。
【０００７】
すなわち、襟部の両端部を磁石同士または磁石と磁性材料との磁気吸引力で係止することにより、面ファスナと同等以上の襟部の係脱性を確保した上で、襟部への毛髪等の付着をなくして、着用者に衛生的で清潔な感じを与えるようにするとともに、襟部の係止を首に負担をかけることなく静かに解除できるようにし、着用者に不快感を与えないようにした。
【０００８】
前記襟部の両端部の一方の磁石および他方の磁石または磁性材料を、前記襟部の首周り方向に間隔を開けて取り付けられる複数のボタン状のものとすることにより、襟部を着用者の首周りに柔軟に沿わせて、その両端部の係止位置を首周り寸法に合わせて自在に調節することができる。
【０００９】
前記首周りに両側から重ね合わされる襟部のうちの外側に重ね合わされる襟部の端部に取り付けられる前記磁石または磁性材料の、少なくとも襟部の外側に向けられる面を磁気シールド材で覆うことにより、理美容用鋏が襟部の磁石に磁気吸引されないようにして、理髪師や美容師の鋏を持つ手元が乱れるのを防止することができる。
【発明の効果】
【００１０】
本発明の理美容用ケープは、襟部の両端部を磁石同士または磁石と磁性材料との磁気吸引力で係止するようにしたので、面ファスナと同等以上の襟部の係脱性を確保した上で、襟部への毛髪等の付着をなくして、着用者に衛生的で清潔な感じを与えるようにすることができるとともに、襟部の係止を首に負担をかけることなく静かに解除して、着用者に不快感を与えないようにすることができる。
【００１１】
前記襟部の両端部の一方の磁石および他方の磁石または磁性材料を、前記襟部の首周り方向に間隔を開けて取り付けられる複数のボタン状のものとすることにより、襟部を着用者の首周りに柔軟に沿わせて、その両端部の係止位置を首周り寸法に合わせて自在に調節することができる。
【００１２】
前記首周りに両側から重ね合わされる襟部のうちの外側に重ね合わされる襟部の端部に取り付けられる前記磁石または磁性材料の、少なくとも襟部の外側に向けられる面を磁気シールド材で覆うことにより、理美容用鋏が襟部の磁石に磁気吸引されないようにして、理髪師や美容師の鋏を持つ手元が乱れるのを防止することができる。
【発明を実施するための最良の形態】
【００１３】
以下、図面に基づき、この発明の実施形態を説明する。この理美容用ケープは、図１に示すように、身体を覆うクロス部１と、首周りに両側から重ね合わされる襟部２とからなり、襟部２の両端部には間隔を開けて複数の円形ボタン状の磁石３が取り付けられ、これらの磁気吸引力で襟部２の両端部が係止されるようになっている。したがって、襟部２は着用者の首周りに柔軟に沿わされて、その両端部を首周り寸法に合わせて係止される。
【００１４】
図２に示すように、前記各磁石３は畳み込まれた襟部２の布の間に縫込みで取り付けられ、首周りの外側に重ね合わされる襟部２の端部に取り付けられた各磁石３は、非磁性材料で皿状に形成された磁気シールド材４によって、襟部２の外側に向けられる面と円形の外周面とを覆われている。したがって、理美容用鋏（図示省略）がこれらの磁石３に磁気吸引されて、理髪師や美容師の鋏を持つ手元が乱れることはない。なお、着用者の首周りが太い場合は、首周り内側に重ね合わされる襟部２の磁石３の一部が、外側に重ね合わされる襟部２の磁石３からはみ出すが、この磁石３のはみ出し個数は、よほど首周りが太くない限り非常に少ないので、その磁気吸引力で鋏が吸引される心配はない。
【００１５】
図３は、上記実施形態の変形例を示す。この変形例は、首周りの内側に重ね合わされる襟部２の端部に、円形ボタン状の磁石３の替りに、円形ボタン状の磁性材料５を取り付け、その背面と外周面を非磁性材料で形成された皿状の磁気シールド材６で覆ったものである。各磁性材料５は鋼で形成されており、磁気シールド材６は、首周りの外側に重ね合わされる襟部２に取り付けられた各磁石３と各磁性材料５との磁気吸引力を大きくする効果がある。なお、首周りの外側に重ね合わされる襟部２に磁性材料５を取り付け、内側に重ね合わされる襟部２に磁石３を取り付けてもよい。
【００１６】
上述した実施形態では、襟部の端部に取り付けた磁石や磁性材料を複数の円形ボタン状のものとしたが、これらの磁石や磁性材料の形状は円形のものに限定されることはなく、その取り付け個数も任意に設定することができる。また、襟部の端部に取り付ける磁石は、必ずしも複数のボタン状磁石とする必要はなく、例えば、磁石粉末をゴムに混入した帯状のゴム磁石とすることもできる。
【図面の簡単な説明】
【００１７】
【図１】理美容用ケープの実施形態を示す一部省略外観斜視図
【図２】図１の襟部の両端部を係止した状態を拡大して示す斜視図
【図３】図２の変形例を示す斜視図
【符号の説明】
【００１８】
１  クロス部
２  襟部
３  磁石
４  磁気シールド材
５  磁性材料
６  磁気シールド材
【図１】
2006006437.tif 000003
【図２】
2006006437.tif 000004
【図３】
2006006437.tif 000005